(57)【要約】      （修正有）【課題】タブを形成する作業の容易化を簡単な構成で可能とし、かつ迅速にタブを形成することが可能なタブ作成装置を提供する。【解決手段】手動操作レバー２０が原位置Ｔ１からタブ作成位置Ｔ２へ操作される過程において、シートに折り返しタブの外縁の切り込みを入れ、切り込みにより形成された折り返しタブを所定角度に曲げる。さらに、手動操作レバーがタブ作成位置から付勢力により原位置へ復帰する過程において、シートを取り出し方向へ移動し、曲げた折り返しタブを折り返してシートの端部にタブを設ける。【選択図】図２
2020069557.tif 000002
【特許請求の範囲】
【請求項１】
手動操作により原位置からタブ作成位置へ操作され、前記タブ作成位置から付勢力により前記原位置へ復帰する手動操作レバーと、
前記手動操作レバーが前記原位置からタブ作成位置へ操作される過程において、シートに折り返しタブの外縁を形成する切り込みを入れ、前記切り込みにより形成された折り返しタブを所定角度に曲げる折り返しタブ作成手段と、
を備えることを特徴とするタブ作成装置。
【請求項２】
前記手動操作レバーが前記タブ作成位置から付勢力により前記原位置へ復帰する過程において、前記シートを取り出し方向へ移動し、前記所定角度に曲げた折り返しタブを折り返して前記シートの端部にタブを設けるシート取出手段
を備えることを特徴とするタブ作成装置。
【請求項３】
前記折り返しタブ作成手段は、
固定された固定刃と、
移動する可動刃と、を含み、
前記手動操作レバーが前記原位置からタブ作成位置へ操作される過程において、
前記可動刃は、前記固定刃とにより折り返しタブの外縁を形成する切り込みを前記シートに開け、
前記切り込みにより形成された折り返しタブを所定角度に曲げることを特徴とする請求項１に記載の折り返しタブ作成装置。
【請求項４】
前記シート取出手段は、
プレスローラと駆動ローラと、を含み、
前記手動操作レバーが前記原位置において、前記プレスローラは前記駆動ローラから離間状態にあり、
前記手動操作レバーが前記タブ作成位置から付勢力により前記原位置へ復帰する過程において、
前記プレスローラは、前記駆動ローラに押圧され、
前記駆動ローラを回転して前記シートを取り出し方向へ移動することを特徴とする請求項２に記載のタブ作成装置。
【請求項５】
前記折り返しタブを前記シートの端部に接着する接着剤を付着する付着手段を備え、
前記手動操作レバーが前記原位置からタブ作成位置へ操作される過程において、
前記付着手段は、接着剤を前記シートの端部に付着し、
前記所定角度に曲げた折り返しタブを折り返して前記接着剤により前記折り返しタブを
前記シートの端部に接着可能にすることを特徴とする請求項１ないし請求項４のいずれか１項に記載のタブ作成装置。
【請求項６】
前記シートに折り返しタブの外縁を形成する切り込みを入れ、前記切り込みにより形成された折り返しタブは、
前記所定角度に曲げる折り曲げ線を１辺とする５角形形状であり、
前記折り曲げ線と５角形形状の先端辺は、平行とし、
前記折り曲げ線の長さより前記先端辺の長さを長くし、前記５角形形状の幅を、前記先端辺の長さより長くしたことを特徴とする請求項１ないし請求項５のいずれか１項に記載のタブ作成装置。
【請求項７】
位置決めバーが挿入可能であり、
前記位置決めバーは、
一方の面と他方の面に、それぞれ異なる目盛でタブ位置決めが設けられていることを特徴とする請求項１ないし請求項６のいずれか１項に記載のタブ作成装置。
【発明の詳細な説明】
【技術分野】
【０００１】
この発明は、手動操作によりシートに折り返しタブを形成して折り返してシートの端部にタブを設けるタブ作成装置に関する。
【背景技術】
【０００２】
従来、一般的に文書ファイルを手作業で整理する場合には、タブを設けることが広く実施されている。例えば、特許文献１には、シート端部に切り込みを入れ、これを折り返してタブとすることが記載されている。
【特許文献１】特開平９−１７５７２５号公報
【発明の開示】
【発明が解決しようとする課題】
【０００３】
しかしながら、特許文献１の技術では、普通紙を利用してタブを形成するが、複雑な折り曲げ機構が必要であった。
【０００４】
この発明は、このような従来技術の実情に鑑みてなされたもので、タブを形成する作業の容易化を簡単な構成で可能とし、かつ迅速にタブを形成することが可能なタブ作成装置を提供することを目的とする。
【課題を解決するための手段】
【０００５】
前記課題を解決し、かつ目的を達成するために、この発明は、以下のように構成した。
【０００６】
請求項１に記載の発明は、手動操作により原位置からタブ作成位置へ操作され、前記タブ作成位置から付勢力により前記原位置へ復帰する手動操作レバーと、
前記手動操作レバーが前記原位置からタブ作成位置へ操作される過程において、シートに折り返しタブの外縁を形成する切り込みを入れ、前記切り込みにより形成された折り返しタブを所定角度に曲げる折り返しタブ作成手段と、
を備えることを特徴とするタブ作成装置である。
【０００７】
請求項２に記載の発明は、前記手動操作レバーが前記タブ作成位置から付勢力により前記原位置へ復帰する過程において、前記シートを取り出し方向へ移動し、前記所定角度に曲げた折り返しタブを折り返して前記シートの端部にタブを設けるシート取出手段
を備えることを特徴とするタブ作成装置である。
【０００８】
請求項３に記載の発明は、前記折り返しタブ作成手段は、
固定された固定刃と、
移動する可動刃と、を含み、
前記手動操作レバーが前記原位置からタブ作成位置へ操作される過程において、
前記可動刃は、前記固定刃とにより折り返しタブの外縁を形成する切り込みを前記シートに開け、
前記切り込みにより形成された折り返しタブを所定角度に曲げることを特徴とする請求項１に記載の折り返しタブ作成装置である。
【０００９】
請求項４に記載の発明は、前記シート取出手段は、
プレスローラと駆動ローラと、を含み、
前記手動操作レバーが前記原位置において、前記プレスローラは前記駆動ローラから離間状態にあり、
前記手動操作レバーが前記タブ作成位置から付勢力により前記原位置へ復帰する過程において、
前記プレスローラは、前記駆動ローラに押圧され、
前記駆動ローラを回転して前記シートを取り出し方向へ移動することを特徴とする請求項２に記載のタブ作成装置である。
【００１０】
請求項５に記載の発明は、前記折り返しタブを前記シートの端部に接着する接着剤を付着する付着手段を備え、
前記手動操作レバーが前記原位置からタブ作成位置へ操作される過程において、
前記付着手段は、接着剤を前記シートの端部に付着し、
前記所定角度に曲げた折り返しタブを折り返して前記接着剤により前記折り返しタブを
前記シートの端部に接着可能にすることを特徴とする請求項１ないし請求項４のいずれか１項に記載のタブ作成装置である。
【００１１】
請求項６に記載の発明は、前記シートに折り返しタブの外縁を形成する切り込みを入れ、前記切り込みにより形成された折り返しタブは、
前記所定角度に曲げる折り曲げ線を１辺とする５角形形状であり、
前記折り曲げ線と５角形形状の先端辺は、平行とし、
前記折り曲げ線の長さより前記先端辺の長さを長くし、前記５角形形状の幅を、前記先端辺の長さより長くしたことを特徴とする請求項１ないし請求項５のいずれか１項に記載のタブ作成装置である。
【００１２】
請求項７に記載の発明は、位置決めバーが挿入可能であり、
前記位置決めバーは、
一方の面と他方の面に、それぞれ異なる目盛でタブ位置決めが設けられていることを特徴とする請求項１ないし請求項６のいずれか１項に記載のタブ作成装置である。
【発明の効果】
【００１３】
前記構成により、この発明は、以下のような効果を有する。
【００１４】
請求項１ないし請求項７に記載の発明では、手動操作レバーを用いた手動操作により原位置からタブ作成位置へ操作され、タブ作成位置から付勢力により原位置へ復帰することで、折り返しタブを折り返してシートの端部にタブを設けることができ、タブを形成する作業の容易化を簡単な構成で可能とし、かつ迅速にタブを形成することが可能である。
【図面の簡単な説明】
【００１５】
【図１】タブ作成装置の作成外観図である。
【図２】手動操作レバーをタブ位置へ操作するタブ作成装置の構成図である。
【図３】手動操作レバーが原位置へ復帰するタブ作成装置の構成図である。
【図４】タブ作成装置の示す図である。
【図５】接着手段の交換を示す図である。
【図６】インデックスの山数変更を示す図である。
【図７】タブ作成装置の操作を説明する図である。
【図８】折り返しタブを折り返してシートの端部にタブを設ける図である。
【図９】折り返しタブの形状を示す図である。
【図１０】シートを取り出して折り返しタブが設けられる状態を示す図である。
【発明を実施するための形態】
【００１６】
以下、この発明のタブ作成装置の実施の形態について説明する。この発明の実施の形態は、発明の最も好ましい形態を示すものであり、この発明はこれに限定されない。
【００１７】
（タブ作成装置の構成）
実施の形態のタブ作成装置を、図１ないし図１０に基づいて説明する。図１はタブ作成装置の外観図、図２は手動操作レバーをタブ作成位置へ操作するタブ作成装置の構成図、図３は手動操作レバーが原位置へ復帰するタブ作成装置の構成図、図４はタブ作成装置の機構部の構成図、
図５は接着手段の交換を示す図、図６はインデックスの山数変更を示す図、図７はタブ作成装置の操作を説明する図、図８は折り返しタブを折り返してシートの端部にタブを設ける図、図９は折り返しタブの形状を示す図、図１０はシートを取り出して折り返しタブが設けられる状態を示す図である。
【００１８】
（図１において）
図１（ａ）は前側から見た斜視図、図１（ｂ）は後側から見た斜視図であり、この実施の形態のタブ作成装置１は、シートＰの端部にタブＴｂを設ける装置である。タブ作成装置１の装置本体１０には、手動操作レバー２０が手動操作可能に設けられ、また装置本体１０には、機構部３０と接着手段４０を備える。装置本体１０には、タブＴｂを形成するシートＰのセット位置を決める位置決めバー５０が着脱可能であり、接着手段４０には、スタンプのりを用いている。
【００１９】
（図２ないし図４おいて）
手動操作レバー２０は、装置本体１０に支持軸１１を介して回動可能に設けられている。この手動操作レバー２０は、使用者の手動操作により原位置Ｔ１からタブ作成位置Ｔ２へ操作され、タブ作成位置Ｔ２から付勢力により原位置Ｔ１へ復帰する。
【００２０】
機構部３０には、折り返しタブ作成手段６０と、シート取出手段７０を備える。折り返しタブ作成手段６０は、固定された固定刃６１と、移動する可動刃６２と、ホルダ６３と、圧縮ばね６４と、リンク機構６５と、を含む。リンク機構６５は、第１リンク６５ａと第２リンク６５ｂを含み、第１リンク６５ａと第２リンク６５ｂはリンク連結されている。
【００２１】
第１リンク６５ａは、装置本体１０に移動可能に支持され、第１リンク６５ａの先端部にコロ６６が設けられている。第２リンク６５ｂは、装置本体１０に支持軸１２を介して回動可能に設けられ、第２リンク６５ｂの先端部にコロ６７が設けられている。コロ６７は、可動刃６２の底部に当接している。
【００２２】
圧縮ばね６４は、ホルダ６３に設けられ、可動刃６２を常に元位置に位置するように付勢している。可動刃６２が元位置に位置するとき、手動操作レバー２０は、リンク機構６５を介して原位置Ｔ１に位置する。
【００２３】
手動操作レバー２０を押すことにより回動し、手動操作レバー２０の内部壁２０ａが所定の位置に到達するすると、第１リンク６５ａの先端部のコロ６６に接触し、第１リンク６５ａを押し下げる。第１リンク６５ａの押し下げに連動し、第１リンク６５ａに連結されている第２リンク６５ｂが回転し、第２リンク６５ｂの先端部のコロ６７の軌跡動作により可動刃６２を上方へ動かし、可動刃６２と固定刃６１との間でシートＰを押切カットする。
【００２４】
可動刃６２が上方へ移動し、最上段位置に到達すると、折り返しタブの外縁を形成する切り込みをシートＰに開け、１辺を残して切り込みにより形成された折り返しタブを所定角度に曲がる。この実施の形態では、ほぼ直角に曲がる。
【００２５】
手動操作レバー２０が、最下段位置に到達する過程で、手動操作レバー２０の内部壁が接着手段４０であるスタンプのりケースを押し下げてシートＰの所定の位置に接着剤のりを付着する。
【００２６】
このように、折り返しタブ作成手段６０は、手動操作レバー２０が原位置Ｔ１からタブ作成位置Ｔ２へ操作される過程において、可動刃６２は、固定刃６１とにより折り返しタブの外縁を形成する切り込みを入れてシートＰに開け、切り込みにより形成された折り返しタブを所定角度に曲げる構成である。
【００２７】
シート取出手段７０は、プレスローラ７１と、駆動ローラ７２と、プレス用ばね７５と、ローラ駆動７４と、を含む。プレスローラ７１と駆動ローラ７２は、対向して配置されている。支持機構７３は、支持体７３ａと、プレスプレート７３ｂと、リンク７３ｃを有する。支持体７３ａには、プレスプレート７３ｂがピン７３ｄを介して回動可能に支持され、プレスプレート７３ｂにプレスローラ７１が支持されている。リンク７３ｃの一端部には、長溝７３ｃ１が形成され、長溝７３ｃ１には、プレスプレート７３ｂに設けたピン７３ｅが係止されている。リンク７３ｃの他端部は、手動操作レバー２０に連結されている。
【００２８】
手動操作レバー２０が原位置Ｔ１においては、リンク７３ｃの長溝７３ｃ１の先端側に、プレスプレート７３ｂのピン７３ｅが位置しており、手動操作レバー２０がリンク７３ｃを介してプレスプレート７３ｂを押すことはなく、プレスローラ７１は駆動ローラ７２から離間状態にある。
【００２９】
手動操作レバー２０が原位置Ｔ１からタブ作成位置Ｔ２へ操作されると、手動操作レバー２０がリンク７３ｃを介してプレスプレート７３ｂがプレス用ばね７５を押し、これによってプレスローラ７１は、駆動ローラ７２に押圧される。
【００３０】
ローラ駆動７４は、ピニオン７４ａと、ラック７４ｂと、操作部７４ｃを有する。ピニオン７４ａは、駆動ローラ７２の軸部に設けられ、駆動ローラ７２はシートＰを排出する方向に回転する。ラック７４ｂは、操作部７４ｃによって手動操作レバー２０の操作に連動して前後進し、手動操作レバー２０の原位置Ｔ１が最大の前進位置であり、手動操作レバー２０のタブ作成位置Ｔ２が最大の後進位置である。
【００３１】
手動操作レバー２０がタブ作成位置Ｔ２に位置する状態では、プレスプレート７３ｂに支持されているプレスローラ７１は、プレス用ばね７５により駆動ローラ７２に押圧されている。
【００３２】
この状態で、操作レバー２０が圧縮ばね６４の付勢力により可動刃６２と連動して原位置Ｔ１に戻ると、この手動操作レバー２０が原位置Ｔ１に戻る過程において、手動操作レバー２０の操作部７４ｃが最大の後進位置であるラック７４ｂを前進させてピニオン７４ａが回転し、ラック７４ｂによって駆動ローラ７２はシートＰを排出する方向に回転し、プレスローラ７１も連動して回転してシートＰを排出する。
【００３３】
シートＰを排出する過程において、シートＰが駆動ローラ７２とプレスローラ７１の間を通ることにより、所定角度に曲げた折り返しタブを折り返して接着剤により折り返しタブをシートＰの端部に接着する。
【００３４】
手動操作レバー２０がタブ作成位置Ｔ２から付勢力により原位置Ｔ１へ復帰すると、リンク７３ｃの長溝７３ｃ１の先端側に、プレスプレート７３ｂのピン７３ｅが位置し、手動操作レバー２０がリンク７３ｃを介してプレスプレート７３ｂを押すことはなく、プレスローラ７１は駆動ローラ７２から離間状態になる。
【００３５】
（図５において）
装置本体１０に備えた機構部３０には、ホルダ４１が設けられ、このホルダ４１に着脱可能に接着手段４０が備られている。接着手段４０としてスタンプのりが用いられており、交換は、スタンプのりを指で摘まみホルダ４１から取り出し、新しいスタンプのりをホルダ４１の所定の位置に挿入する。
【００３６】
（図６において）
装置本体１０に位置決めバー５０が挿入可能であり、位置決めバー５０は、一方の面と他方の面に、それぞれ異なる目盛でタブ位置決めが設けられる。この実施の形態では、位置決めバー５０の一方の面に５個の凸部５０ａが設けられ、他方の面に１０個の凸部５０ａが設けられている。使用者は、一方の面の５個の凸部５０ａまたは他方の面に１０個の凸部５０ａに合わせて装置本体１０に位置決めバー５０が挿入し、シートＰにタブＴｂを形成する。
【００３７】
（図７及び図８において）
図７（ａ）では、手動操作レバー２０が原位置Ｔ１に位置しており、プレスローラ７１は、駆動ローラ７２から離間状態にある。シートＰを、プレスローラ７１と駆動ローラ７２の間から挿入して突き当たる位置にし、シートＰを所定の位置にセットする。
【００３８】
図７（ｂ）では、手動操作レバー２０を押し下げて、原位置Ｔ１からタブ作成位置Ｔ２へ操作する。この手動操作レバー２０が原位置Ｔ１からタブ作成位置Ｔ２へ操作される過程において、シートＰに折り返しタブの外縁を形成する切り込みを入れ、切り込みにより形成された折り返しタブを所定角度に曲げ（図８（ａ））、接着剤をシートＰの端部に付着する（図８（ｂ））。
【００３９】
図７（ｃ）では、手動操作レバー２０がタブ作成位置Ｔ２から付勢手段の付勢力により原位置Ｔ１へ復帰し、この過程において、シートＰを取り出し方向へ移動し、所定角度に曲げた折り返しタブを折り返してシートＰの端部に付着してタブＴｂを設けて排出される（図８（ｃ）。
【００４０】
この実施の形態では、手動操作レバー２０を用い、この手動操作レバー２０の手動操作により原位置Ｔ１からタブ作成位置Ｔ２へ操作し、タブ作成位置Ｔ２から付勢を力により原位置Ｔ１へ復帰し、その過程において、シートＰに折り返しタブの外縁を形成する切り込みを入れ、切り込みにより形成された折り返しタブを所定角度に曲げ、シートＰの端部にタブＴｂを設けることができ、作業の容易化を簡単な構成で可能とし、かつ迅速にタブＴｂを形成することが可能である。
【００４１】
（図９及び図１０において）
シートＰに折り返しタブＴｂの外縁を形成する切り込みＫを入れ、切り込みｋにより形成された折り返しタブＴｂは、所定角度に曲げる折り曲げ線Ｋ１を１辺とする５角形形状である。この折り返しタブＴｂの折り曲げ線Ｋ１と５角形形状の先端辺Ｋ２は、平行とし、折り曲げ線Ｋ１の長さＣより先端辺Ｋ２の長さＢを長くし、５角形形状の幅Ａを、先端辺Ｋ２の長さＢより長くした構成である
【００４２】
シートＰに折り返しタブＴｂの外縁を形成する切り込みＫを入れ、この切り込みＫにより形成された折り返しタブＴｂを、折り曲げ線Ｋ１を基準にして所定角度に曲げる（図１０（ａ））。次に、シートＰを取り出し方向へ移動すると、所定角度に曲げられた折り返しタブＴｂが折り曲げ線Ｋ１を基準にして折り曲げ線Ｋ１側から先端辺Ｋ２に角形形状の幅Ａに沿って円滑に折り返してシートＰの端部にタブＴｂを設けられる（図１０（ｂ））。
【００４３】
（他の実施の形態）
この実施の形態では、シートに折り返しタブの外縁を形成する切り込みを入れ、切り込みにより形成された折り返しタブを折り返してシート端部に設ける。この実施の形態では、折り返しタブを折り返してシート端部に接着剤により固着する構成を用いたが、他の構成を用いてもよい。
【００４４】
例えば、折り返しタブをシート端部と重ねられた状態で圧着する。また、切り込みにより形成された折り返しタブを折り返してＩ字状の切り込み孔に差し込み折り返しタブを設ける。切り込みにより形成された折り返しタブを折り返し、一部折り返しを係止開口に係止させる。折り返しタブをシート端部と重ねられた状態で粘着テープにより貼り付ける。折り返しタブをシート端部と重ねられた状態で針ステープルにより止める。折り返しタブをシート端部と重ねられた状態で押圧して腰付けするなどの構成を用いることができる。
【産業上の利用可能性】
【００４５】
この発明は、手動操作によりシートに折り返しタブを形成して折り返してシートの端部にタブを設けるタブ作成装置に適用可能であり、タブを形成する作業の容易化を簡単な構成で可能とし、かつ迅速にタブを形成することが可能である。
【符号の説明】
【００４６】
１  タブ作成装置
１０  装置本体
２０  手動操作レバー
３０  機構部
４０  接着手段
５０  位置決めバー
６０  折り返しタブ作成手段
６１  固定刃
６２  可動刃
６３  ホルダ
６４  圧縮ばね
６５  リンク機構
７０  シート取出手段
７１  プレスローラ
７２  駆動ローラ
７４  ローラ駆動
７５  プレス用ばね
【図１】
2020069557.tif 000003
【図２】
2020069557.tif 000004
【図３】
2020069557.tif 000005
【図４】
2020069557.tif 000006
【図５】
2020069557.tif 000007
【図６】
2020069557.tif 000008
【図７】
2020069557.tif 000009
【図８】
2020069557.tif 000010
【図９】
2020069557.tif 000011
【図１０】
2020069557.tif 000012